(57)【特許請求の範囲】
【請求項１】
編地等のシート材により背もたれ形状に形成され少くともその四周囲が袋状の二重部とされた背もたれシートと、
この背もたれシートの二重部の上半部に挿入される下向きコ字状を有する上部骨材と、
同じく背もたれシートの二重部の下半部に挿入される上向きコ字状を有する下部骨材と、
前記背もたれシートの二重部に形成され前記上部骨材および下部骨材を背もたれシートに挿入するための骨材挿入孔と、
この骨材挿入孔を塞ぐとともに前記上部骨材と下部骨材との脚端を剛結するための一対の連結部材と
を具有し、
この連結部材で背もたれを椅子の背フレームに取り付けるようにし、
前記連結部材が前記背もたれの上下方向における中間位置よりも下位に位置するように、前記上部骨材は前記下部骨材よりも上下方向に長く形成されている
ことを特徴とする椅子。
【請求項２】
前記背もたれシートは、その四周囲のみが二重部とされ、背の当る部位は一重とされている請求項１記載の椅子。
【請求項３】
前記背もたれシートは、編成されたネット布地で構成されている請求項１または２記載の椅子。
【請求項４】
前記上部骨材および下部骨材は弾性を有する材料により形成され、該骨材のしなりが背もたれシートによるクッション性に加えクッション性を与えるようになされている請求項１〜３のいずれか１項記載の椅子。
【請求項５】
背フレームは椅子の基台に後傾動自在に枢支され、その後部の上方へ向け立ち上がる立上部の上端の左右に延びるアーム部の先端に前記連結部材が揺動自在に取り付けられている請求項１〜４のいずれか１項記載の椅子。
【請求項６】
前記背フレームの立上部の中央部に固設され背もたれの前記連結部材より上方位置において背もたれの後傾時に人体の腰部に当たる腰当てを備えている請求項１〜５のいずれか１項記載の椅子。
【請求項７】
座部の両側位置に肘当てが立設されている請求項１〜６のいずれか１項記載の椅子。
【請求項８】
前記一対の連結部材を互いに左右方向に連結するアームを備える請求項１記載の椅子。
【請求項９】
編地等のシート材により背もたれ形状に形成してその四周囲を筒状の二重部に縫成した背もたれシートを形成し、
この背もたれシートの左右の二重部に骨材挿入孔を開口してこの骨材挿入孔から上半部に下向きコ字形を有する上部骨材を挿入するとともに下半部に上向きコ字形を有する下部骨材を挿入し、
前記骨材挿入孔の位置でこれを塞ぐように連結部材により前記上部骨材と下部骨材との各脚端を剛結して背もたれを構成し、
前記連結部材が前記背もたれの上下方向における中間位置よりも下位に位置するように、前記上部骨材は前記下部骨材よりも長く形成されている
ことを特徴とする椅子の背もたれ製造方法。
【発明の詳細な説明】
【技術分野】
【０００１】
本発明は椅子に係り、特に背を当てる背もたれの構造を改良した椅子および背もたれの製造方法に関する。
【背景技術】
【０００２】
従来からオフィス等において用いられている椅子の背もたれは、寄りかかった際のクッション性を得るため背フレームに固着される背板にウレタンフォーム等の発砲体を添設し、これら背板および発砲体を布カバーで被覆して背もたれとすることが一般的であった。
【０００３】
しかし上記の背もたれ構造によると、十分なクッション性を得るためには発砲体の厚みが大きくなり、そのため背もたれ自体の厚みが増して椅子のデザイン上制約を受けるばかりでなく椅子が嵩張って取り扱いにくい形態となってしまうという問題があった。
【０００４】
そこで背もたれをネット状の布で構成し、背もたれの厚みを増すことなく良好なクッション性を得るようにした椅子が提案されている。
【０００５】
このような布製の背もたれとすれば、厚みを増すことなく軽量で取り扱いやすい椅子とすることが可能であるが、このように布製の背もたれとするにはその布地を背フレームに取り付ける取り付け構造がデザインやコストの面で大きく影響を及ぼす要素となる。
【０００６】
従来では背フレームに布地を当て、その背後で止板や止具で背フレームに固定するか、あるいは背フレームの上部から袋状に形成した布地を被せ、その下端をファスナ（平面ファスナ）で閉じ合わせて始末するようにされているが、これらはいずれも背もたれ部分のデザインの自由度を減退させるばかりでなく取り付けに多くの手段を要するなどの問題があった。
【特許文献１】特開２００４−４９３６４号公報
【発明の開示】
【発明が解決しようとする課題】
【０００７】
本発明は、予め製作された背もたれシートに上半部および下半部用の骨材を挿通し、これら骨材の脚部端を剛結することにより背もたれ全体が一つのシートにより構成された一体感を有するようにし、かつ前記骨材を連結する連結部材を骨材挿入孔の閉塞部材としての機能と、背もたれを背フレームに取り付けるための取り付け具としての機能とを保有させ、最少部品で背もたれおよびその組み付けができるようにすることを課題としている。
【課題を解決するための手段】
【０００８】
上記課題を解決する手段として本発明は、編地等のシート材により背もたれ形状に形成され少くともその四周囲が袋状の二重部とされた背もたれシートと、この背もたれシートの二重部の上半部に挿入される下向きコ字状を有する上部骨材と、同じく背もたれシートの二重部の下半部に挿入される上向きコ字状を有する下部骨材と、前記背もたれシートの二重部に形成され前記上部骨材および下部骨材を背もたれシートに挿入するための骨材挿入孔と、この骨材挿入孔を塞ぐとともに前記上部骨材と下部骨材との脚端を剛結するための連結部材とを具有し、この連結部材で背もたれを椅子の背フレームに取り付けるようにしたことにある。
【０００９】
前記背もたれシートは、その四周囲のみを二重部としてこれに骨材を挿入するようにし、背の当る部位は一重とすることがすっきりしたデザインとするうえで好ましい。
【００１０】
上記背もたれシートは編成された布地で構成することが好ましく、ネット布地とすることがさらに好ましい。
【００１１】
一方、背フレームの後部の立上部の上端に左右に延びるアームを設け、このアームの先端に前記連結部材を揺動自在に取り付けることにより背フレームに背もたれを支持するようにすることができる。
【００１２】
また背フレームの立上部の中央部に背もたれの後傾時に人体の腰部に当たる腰当てを設けることができる。
【００１３】
さらに座部の両側位置に肘当てを立設することができる。
【００１４】
上記背もたれの製造方法として、編地等のシート材により背もたれ形状に形成してその四周囲を筒状の二重部に縫成した背もたれシートを形成し、この背もたれシートの左右の二重部に骨材挿入孔を開口してこの骨材挿入孔から上半部に下向きコ字形を有する上部骨材を挿入するとともに下半部に上向きコ字形を有する下部骨材を挿入し、前記骨材挿入孔の位置でこれを塞ぐように連結部材により前記上部骨材と下部骨材との各脚端を剛結して背もたれを構成するようにしたことにある。
【発明の効果】
【００１５】
本発明によれば、背もたれを構成する背もたれシートが上部から下部にかけて一体のシート材で構成され、この背もたれシートに挿入される上部骨材と下部骨材との脚端の剛結により背もたれの形態を構成するようにしているので、背もたれの外部に止具や押え具等の付帯部材が一切存在することがなく、これにより椅子の外観デザインをすっきりした形態とすることができる。
【００１６】
前記背もたれシートの四周囲のみを筒状に縫成して二重部とし、これに骨材を挿通させるようにすれば、背もたれシートと骨材との一体感が増し、骨材に対し背もたれシートのずれ動きもなく、長期にわたり形崩れすることなく使用することが出来る。
【００１７】
また椅子の背フレームの立上部の中央上部に腰当てを設ければ、背もたれの後傾時に人体の腰部を支え、長時間座っていても疲れを与えることが防がれる。
【００１８】
前記上下の骨材を弾性材で構成すれば、背もたれシートの張力によるクッション性に加え骨材のしなりによるクッション性を加味することができ、これらにより感触のよい背もたれとすることができる。
【発明を実施するための最良の形態】
【００１９】
図１は本発明による椅子の一実施形態の側面図を、図２は同背面図を示し、図３は図１の拡大断面図を示している。
【００２０】
上記椅子１自体の基本構成は従来の椅子と同様に、キャスタ付きの脚２の上部に回転自在に装着される基台３に座板４が設置されるとともに、支柱として機能する側面視略Ｌ字状に屈曲する背フレーム５の下部前端部が前記基台３の前部に枢支され、ガススプリング６をハンドル７により操作することで後傾角度調整可能とされており、この背フレーム５の後部の立上部５ａに背もたれ８が支持される構成を有している。
【００２１】
前記背もたれ８は本発明の特徴的構成を有するもので、図４に示すように編地等のネット状の布地により背もたれ形状に形成された背もたれシート９を備え、その四周囲が連続した筒状の二重部１０とされており、この背もたれシート９の上下方向中央よりやや下位位置の二重部１０の左右対称位置に骨材挿入孔１１、１１が開口されている。
【００２２】
前記背もたれシート９の二重部１０内には、その上半部に上部骨材１２が、同下半部には下部骨材１３がそれぞれ挿入される。
【００２３】
この上部骨材１２は、図６（Ａ）〜（Ｃ）に例示するように、背もたれ８の上半部の形態を決定する形状とされた下向きコ字状を有するもので、弾性を有するプラスチック材により成形され、その左右の脚１２ａ、１２ａの脚端は一段低く形成されて接続部１４、１４とされており、この接続部１４、１４に連結用の取付孔１５、１５が穿設されている。
【００２４】
前記下部骨材１３は、図７（Ａ）〜（Ｃ）に例示するように、背もたれ８の下半部の形態を決定する形状とされた上向きコ字状を有するもので、弾性を有するプラスチック材により成形され、その左右の脚８ａ、８ａの脚端は一段低く形成されて接続部１６、１６とされており、この接続部１６、１６に連結用の取付孔１７、１７が穿設されている。
【００２５】
これら上部骨材１２および下部骨材１３の組み込みは、図９に説明用工程図として示しているように、上部骨材１２は一方の脚１２ａを骨材挿入孔１１から二重部１０の上方へ向けて挿入し、次いでその脚１２ａを矢印ａ、ｂ、ｃのように順次スライドさせるよう背もたれシート９をたくしながら挿通させ、最終的に脚１２ａを他側の骨材挿入孔１１から外部へ出す。
【００２６】
下部骨材１３も上部骨材１２の場合と同様に、一方の脚１３ａを骨材挿入孔１１から下方へ向けて挿入し、次いで矢印ｄ、ｅ、ｆのように順次スライドさせて他側の骨材挿入孔１１から外部に出す。
【００２７】
これにより上部骨材１２および下部骨材１３が背もたれシート９の二重部１０内に納まり、その骨材挿入孔１１、１１の位置で脚端の接続部１４、１６を連結部材１８により剛結することにより背もたれ８が形造られる。
【００２８】
上記上部骨材１２と下部骨材１３とを剛結する上記の連結部材１８は、図８（Ａ）、（Ｂ）に例示するように、上部骨材１２および下部骨材１３の脚端の接続部１４、１６に跨がって当接し前記背もたれシート９の骨材挿入孔１１より大きく該孔を塞ぎ得る形状を有する座部１９と、この座部１９の中央に突設され背フレーム５に結合するためのボス部２０とを備え、前記座部１９には前記上部骨材１２と下部骨材１３との各脚端の取付孔１５、１７にネジ（図示せず）を螺挿して締結するための取付孔２１、２１が穿設されている。
【００２９】
前記背フレーム５の立上部５ａの上端左右部にはアーム部２２、２２が延設され、このアーム部２２、２２の先端の突部が前進連結部材１８のボス部２０に首振り自在に嵌合して取り付けられるようになっている。
【００３０】
前記背フレーム５の立上部５ａの中央上部には、人体の腰部に当る腰当て２３が設けられている。
【００３１】
この腰当て２３は、背フレーム５の立上部５ａにその上端より上方へ突出するよう固着された基部２３ａに設けられ、その形状は所要幅を有する横長矩形状に形成されており、背もたれ８の背面に対しては所要の間隔を有していて、背もたれ８が後傾されたとき背もたれ８に当接して人体の腰部を支えるようになっている。
【００３２】
上記のように構成される椅子１の背もたれ８は、四周囲に上下の骨材１２、１３が内挿されているので十分な保形性が得られ、これに寄りかかったとき上下の骨材１２、１３で囲まれた中央の領域がクッション性を発揮し、上部骨材１２、下部骨材１３の弾性によるクッション性、さらには背フレーム５の立上部５ａおよびその側方へ延びるアーム部２２、２２の各撓みによるクッション性が加味されて柔らかいクッション機能を奏し、座り心地のよい椅子となる。
【００３３】
そして背もたれ８の外面には連結部材１８以外何らの他部材も存在せず、すっきりした外観の背もたれとなる。
【００３４】
前記座板４の両側位置の基台３には肘掛けアーム２５、２５が立設され、この肘掛けアーム２５、２５の上端には肘当て２６、２６が取り付けられている。
【００３５】
なお図４において符号２７、２７は下部骨材１３を背フレーム５の止座２８に止着するため止具を通すスリットである。
【図面の簡単な説明】
【００３６】
【図１】本発明による椅子の一実施形態を示す側面図。
【図２】同、背面図。
【図３】図１の拡大断面図。
【図４】背もたれシートの一例を示す背面図。
【図５】（Ａ）は図４のＡ−Ａ線、（Ｂ）は同Ｂ−Ｂ線における各断面図。
【図６】上部骨材の一例を示し、（Ａ）は正面図、（Ｂ）は平面図、（Ｃ）は側面図。
【図７】下部骨材の一例を示し、（Ａ）は正面図、（Ｂ）は平面図、（Ｃ）は側面図。
【図８】連結部材を示し、（Ａ）は側面図、（Ｂ）は平面図。
【図９】背もたれの製造過程を示す説明図。
【符号の説明】
【００３７】
１  椅子
５  背フレーム
５ａ  立上部
８  背もたれ
９  背もたれシート
１０  二重部
１１  骨材挿入孔
１２  上部骨材
１３  下部骨材
１８  連結部材
２３  腰当て
【図１】
0004593439.tif 000002
【図２】
0004593439.tif 000003
【図３】
0004593439.tif 000004
【図４】
0004593439.tif 000005
【図５】
0004593439.tif 000006
【図６】
0004593439.tif 000007
【図７】
0004593439.tif 000008
【図８】
0004593439.tif 000009
【図９】
0004593439.tif 000010